(57)【要約】【課題】本考案は、空洞対象物の各部の寸法精度を測定する検査治具を提供するものである。【解決手段】一つ以上の基板の上に、透明な硬質板を組み合わせて、固定し、その透明検査治具を対象物に当てて、その間の寸法精度を測定する。【選択図】図１
0003139670.tif 000002
【実用新案登録請求の範囲】
【請求項１】
複数に分解出来る、凹凸部のある基板を嵌合し組み合わせて、その上に出来る通し溝に、上下に分解し、ほぼ中央部の切り込みと左右の動き防止の噛み合わせ凹凸のある、縦、横、上、下四枚の透明硬質板の下板二枚を中央切り込みで噛み合わせて、基板溝にセットし、下板二枚の両端の縦溝に固定具のピンを入れ、上の縦、横二枚の透明板を中央部で噛み合わせて、その両端の各縦溝に固定具の対峙する他のピンを挿入し、各固定具の二つのピンを各上板、下板の縦溝に続く横溝に挿入し移動して、上下四枚の透明板を基板の上に固定させる組み立て、解体の出来る検査治具。
【請求項２】
縦、横、上、下の組み合わせ透明硬質板が固設する基板が複数嵌合し接続する請求項１の検査治具。
【考案の詳細な説明】
【技術分野】
【０００１】  本考案は、空洞成形物の空洞部の形状精度を容易に検査出来る治具に関する。
尚治具とは、Ｊｉｇ即ち加工物の寸法精度を測るために用いる検査具である。
【背景技術】
【０００２】  ウレタン樹脂等その他発泡する合成樹脂やゴム質の発砲体のごとき化学的成形物の空洞部の各方向寸法精度を測るために、一定した大きさの治具を当てて、対象製品の各部分の検査治具との差を測定している。
【考案の開示】
【考案が解決しようとする課題】
【０００３】  自動車、車両、家具等に使用されているクッション体の空洞部を検査治具で測定するには、大きな測定治具が必要であるが、従来の検査治具は、ベニヤ板等に十字状の溝を設け、それに二枚の不透明板に切り込みを入れ、それを組み合わせて、溝に入れ固定し、その板の外周と製品との間隙を測定していた。【０００４】  しかし、それには、ベースになる板或いは上部の立体的構造体の大きさやその反りによる精度的な限界があり、又その溝に入れる立体的な板が不透明のため、空洞体各部との間隙又は接触状態が見えず、大きな成形物の寸法精度測定は不可能か非常に困難である欠点があった。
【課題を解決するための手段】
【０００５】  本考案は、複数の合板等を動かないように且つ平面的に篏合組み合わせて、その上の溝に、組み合わせたとき、動かないように複数の透明の硬質樹脂板を篏合し組み合わせた構造の検査治具とすることで、大きな空洞の各部の寸法精度を測定することが出来る。又組み合わせ部材を解体して、収納し易くすることも出来る。【０００６】  更に同様の縦横に組み合わせた透明測定板を固定させた基板を複数嵌合することにより、又対象測定物の大きさや変形物によって透明測定板の形状を変えることにより、対象物の大きさや形状に応じて測定可能な検査治具とすることが出来る。
【考案の実施の状態】
【０００７】  図２に示すような各溝６、７、８、９のある、互いに篏合する基板部材板２，３，４，５を相互に組み合わせて基板１を製作する。各板は、凹凸が互いに篏合して、不動の基板１とする。尚溝の６と８並びに７と９は平面的空間部１０を開けて、直線上にある。図示の各板の組み合わせ凹凸は、平面的に円形状の組み合わせであるが、三角状の篏合楔形状とする方法でも良い。尚各板は横方向、縦方向に上記に同じく篏合組み合わせて延長し、大きな基板として、後述する検査治具を大きくする事も又別の検査治具を接続してセットすることも可能である。上記各部材で構成する基板１の平面的空間部１０は、上にセットする検査測定治具を固定するに足りる基板溝があれば良いので、空間部が大きい方が部材の節減になる。基板１の材質は問わないが、木製合板で良い。
【０００８】  図３、図４のごとく、ペット樹脂など、透明硬質合成樹脂板によって、基板１の溝６，８，７、９に嵌め込む検査測定具１１を製作する。検査測定具１１は、長さ方向の下部測定板１２，横方向の下部測定板１３の組み合わせと長さ方向の上部測定板１４，横方向の上部測定板１５の組み合わせにより構成する。
【０００９】  長さ方向の上部測定板１４と横方向の上部測定板１５及び長さ方向の下部測定板１２と横方向の下部測定板１３とは、それぞれほぼ中央に逆方向に入れてある切り込み１６１７及び１８，１９で噛み合わせると上部測定板１４，１５並びに下部測定板１２，１３が不動の状態に確保される。
【００１０】  長さ方向下部測定板１２の下部両側には、基板部材板２の溝６と基板部材板４の溝８に入り長さ方向下部測定板１２が左右不動に固定される二箇所の切り欠き２０が設けてある。同じく横方向の下部測定板１３の下部両側にも基板部材板３と５の溝７と９に入り、横方向の下部測定板１３が左右不動に固定される二箇所の切り欠き２１が設けてある。
【００１１】  尚長さ方向の測定板及び横方向の測定板とも、その上部と下部との組み合わせに、横ずれがないように、下部測定板１２，１３には上方凸部２２、上部測定板１４，１５には下方凸部２３を設けて、上下を組み合わせたとき、相互に凹凸形状として嵌合し横ずれなく、固定される。
【００１２】  検査治具として、組み立てるには、基板１として基板部材板２，３，４，５をそれぞれ篏合組み付け、その上に、長さ方向下部測定板１２と横方向下部測定板１３を切り込み１８と１９で組み付け基板１の溝，６，８，と７、９に嵌め込み又各下部測定板１２，１３の下部切り欠き２０，２１で基板１に固定する。
【００１３】  次に図６の固定具２４四個のピン２５を長さ、横方向の各下部測定板１２，１３，の各両端の下部縦溝２８に入れ置く。次に切り込み１６、１７で組み合わせた長さ方向上部測定板１４と横方向上部測定板１５の各両端の上部縦溝２７を固定具２４の別のピン２５に落とし嵌め込む。そのとき、長さ方向下部測定板１２並びに横方向下部測定板１３の両端上方凸部２２と長さ方向上部測定板１４並びに横方向上部測定板１５の両端下方凸部２３で隙間無く組み合わされている。尚そのときの上部縦溝２７と下部縦溝２８は垂直状態にある。
【００１４】  固定具２４の構成は、板厚みは各測定板厚みと同じとし、その二枚の中間部に同じ厚みと幅の中間板２９を固定具２４の長さ方向の中間部に接着剤で挟み込み留めてある。中間板２９の縦方向長さは、長さ方向の上部測定板１４と横方向の下部測定板１２の噛み合わせと横方向の上部測定板１５と下部測定板１３の噛み合わせを上下合わせて、基板１の各溝に据えたとき、各両端四箇所端に出来る空間の高さ２５と同じとしてある。
固定具２４の中間板２９の上下には、ピン２５が二本が挟み込まれている。
ピン２５の直径は、上下の測定板１２，１４，並びに１３，１５が基板１に据えられたときの左右両端四か所の空間２６の上下にある上部縦溝２７、下部縦溝２８並びにそれに続く各横溝２９の幅とほぼ同じである。ピン２５は、ステンレス等錆びない材質を選定する。固定具２４は上下の上下の測定板を充分に固定する長さであれば良い。
【００１５】  基板１の溝に組み立て据えた下部の各測定板１２，１３の四方端の下部縦溝２８にピン２５を入れた固定具２４の中間板３０の上のピン２５に、組み付けた長さ方向と横方向の上部測定板１４，１５の端四か所の上部縦溝２７を嵌め込む。そしてその四方端の上部縦溝２７と下部縦溝２８に続く横溝２９に固定具２４のピン３０を押し込み、上下の測定板を不動に固定する。
【００１６】  上下の透明測定板は、図面では、ほぼ四角形であるが、それぞれ四方の形状を測定対象の形状に合わせて作成する。
【００１７】  又測定具を１組みでなく、複数の測定具を製作して、それを基板同志で嵌合組み合わせ上の測定具も測定対象物形状に合わせて製作することによって、分解、組み立て容易な且つ精度の高い検査治具とすることが出来る。
【考案の効果】
【００１８】  本考案に検査治具は、測定部が硬質透明であり、各部不動に構成されているので、検査対象との接点精度が容易に確認出来、又検査対象物の大小に拘らず有効に機能する。尚組み立て、解体も容易である。
又複数の検査治具を基板同志の嵌合と上部設置の測定対象部の形状に合わせた透明板の接合によって、測定物の大小に応じた検査治具とすることが出来る。
【図面の簡単な説明】
【００１９】
【図１】  本検査治具の斜視図である。
【図２】  検査治具の基板である。
【図３】  縦方向の検査測定具である。
【図４】  横方向の検査測定具である。
【図５】  縦横高さの組み付け測定具の斜視図である。
【図６】  固定具の斜視図である。
【図７】  固定具の側面図である。
【図８】  検査測定部の斜視図である。
【符号の説明】
【００２０】    １・・基板                        １６・・１４の中央切り込み
２・・基板部材板                  １７・・１５の中央切り込み
３・・基板部材板                  １８・・１２の中央切り込み
４・・基板部材板                  １９・・１３の中央切り込み
５・・基板部材板                  ２０・・１２の左右下部切り込み
６・・２の溝                      ２１・・１３の左右下部切り込み
７・・３の溝                      ２２・・１２、１３の上方凸部
８・・４の溝                      ２３・・１４、１５の下方凸部
９・・５の溝                      ２４・・固定具
１０・・基材板の平面空間部          ２５・・ピン
１１・・検査測定具                  ２６・・空間
１２・・長さ方向下部測定板          ２７・・上部縦溝
１３・・横方向下部測定板            ２８・・下部縦溝
１４・・長さ方向上部測定板          ２９・・横溝
１５・・横方向上部測定板            ３０・・中間板
【図１】
0003139670.tif 000003
【図２】
0003139670.tif 000004
【図３】
0003139670.tif 000005
【図４】
0003139670.tif 000006
【図５】
0003139670.tif 000007
【図６】
0003139670.tif 000008
【図７】
0003139670.tif 000009
【図８】
0003139670.tif 000010